(57)【要約】      （修正有）【課題】コンパクトで、便利な両足交替踏み式空気入れ装置を提供する。【解決手段】支持台１と、第一可動部品２と、第二可動部品３と、ペダル４と、空気入れ導管５と、両シリンダーａ６と、両シリンダーｂ７と、気圧計８を含む、両足交替踏み式空気入れ装置であって、支持台上には第一可動部品と第二可動部品が設置され、第一可動部品と第二可動部品のトップエンドにはペダルが一体化連結され、第一可動部品と第二可動部品のボトムエンドは、いずれも回転できる方式で支持台と連結され、第一可動部品と第二可動部品との間は交差式で設置され、第一可動部品は第二可動部品の裏側に設置される。両足で第一可動部品と第二可動部品上に設置されるペダルを踏むことによって、手軽且つ快速に空気入れ操作を実現することができる。【選択図】図１
0003227628.tif 000002
【実用新案登録請求の範囲】
【請求項１】
支持台（１）や第一可動部品（２）と、第二可動部品（３）と、ペダル（４）と、空気入
れ導管（５）と、両シリンダーａ（６）と、両シリンダーｂ（７）と、気圧計（８）を含
み、
前記支持台（１）上には第一可動部品（２）と第二可動部品（３）が設置され、前記第一
可動部品（２）と第二可動部品（３）のトップエンドにはペダル（４）が一体化連結され
、前記第一可動部品（２）と第二可動部品（３）のボトムエンドは、いずれも回転できる
方式で支持台（１）と連結され、前記第一可動部品（２）と第二可動部品（３）との間は
交差式で設置され、前記第一可動部品（２）は第二可動部品（３）の裏側に設置され、両
シリンダーａ（６）の本体は支持台（１）の一端とヒンジ連結され、両シリンダーｂ（７
）の本体は支持台（１）の他の一端とヒンジ連結され、且つ両シリンダーｂ（７）は両シ
リンダーａ（６）の両側に設置され、前記第一可動部品（２）は両連結アームａ（２−１
）を含み、両連結アームａ（２−１）の間には主軸ａ（１４）が連結され、前記第二可動
部品（３）は両連結アームｂ（３−１）を含み、両連結アームｂ（３−１）の間には主軸
ｂ（１５）が連結され、両連結アームａ（２−１）は両連結アームｂ（３−１）の間に設
置され、前記主軸ａ（１４）、主軸ｂ（１５）上にはいずれも連結部品（１６）が固定ス
リーブ連結され、前記連結部品（１６）にはエア通路や当該エア通路と連通される排気口
、および二つの当該エア通路と連通される吸気口が開設され、両シリンダーａ（６）のピ
ストンロッドはそれぞれ主軸ａ（１４）上の連結部品の両吸気口と固定連結され、両シリ
ンダーｂ（７）のピストンロッドはそれぞれ主軸ｂ（１５）上の連結部品の両吸気口と固
定連結され、両連結部品（１６）の排気口にはそれぞれ導気管（１７）と連結されるとと
もに、導気管（１７）を介して空気入れ導管（５）と連結され、前記空気入れ導管（５）
上には気圧計（８）が設置される、ことを特徴とする両足交替踏み式空気入れ装置。
【請求項２】
前記支持台（１）は並列に設置される両支持アームを含み、同一端に対応する両支持アー
ムの間にはそれぞれ固定軸a（９）と支持軸ａ（１０）が連結され、前記支持軸a（１０）
は固定軸a（９）の外側に位置され、他の一端に対応する両支持アームの間には固定軸b（
１１）と支持軸b（１２）が連結され、前記支持軸b（１２）は固定軸b（１１）の外側に
位置され、前記第一可動部品（２）と支持台（１）は支持軸b（１２）を介して回転でき
るように連結され、前記第二可動部品（３）と支持台（１）は支持軸a（１０）を介して
回転できるように連結され、前記支持軸ｂ（１２）と支持軸ａ（１０）上にはいずれもね
じりばねが設置され、前記第一可動部品（２）は支持軸b（１２）上に設置されたねじり
ばねを介して支持台（１）と嵌め合い、前記第二可動部品（３）は支持軸a（１０）上に
設置されたねじりばねを介して支持台（１）と嵌め合い、両シリンダーa（６）の本体は
支持台（１）の固定軸a（９）上に可動連結され、両シリンダーb（７）の本体は支持台（
１）の固定軸b（１１）上に可動連結される、ことを特徴とする請求項１に記載の両足交
替踏み式空気入れ装置。
【請求項３】
前記固定軸b（１１）の裏側にまた支持台（１）の両支持アームの間を連結する補助支持
軸（１３）が設置され、前記支持軸b（１２）上には両ねじりばねが設置され、前記第一
可動部品（２）の両連結アームa（２−１）の裏側にはそれぞれドッグが設置され、両ね
じりばねの一端はそれぞれ対応するドッグ上にドッギングされ、両ねじりばねの他の一端
は一体に連結されて補助支持軸（１３）上に押し付けられ、前記支持軸a（１０）上には
両ねじりばねが設置され、前記第二可動部品（３）の両連結アームb（３−１）の外側に
はそれぞれドッグが設置され、前記支持台（１）が前記第二可動部品（３）と連結される
所の両支持アームの裏側にもそれぞれドッグが設置され、前記支持軸a（１０）上に設置
される両ねじりばねの一端はそれぞれ両連結アームb（３−１）のドッグ上にドッギング
され、前記支持軸a（１０）上に設置される両ねじりばねの他の一端はそれぞれ支持台（
１）の両連結アームのドッグ上にドッギングされる、ことを特徴とする請求項２に記載の
両足交替踏み式空気入れ装置。
【請求項４】
前記導気管（１７）の空気入れ導管（５）と接近する位置上には空気入れチェックバルブ
（１８）が設置される、ことを特徴とする請求項１−３のいずれかに記載の両足交替踏み
式空気入れ装置。
【請求項５】
前記空気入れ導管（５）の排気口には空気入れノズル（１９）が設置される、ことを特徴
とする請求項１に記載の両足交替踏み式空気入れ装置。
【請求項６】
前記支持台（１）や第一可動部品（２）および第二可動部品（３）はいずれもアルミニウ
ム合金材料で製作される、ことを特徴とする請求項１に記載の両足交替踏み式空気入れ装
置。
【請求項７】
前記気圧計（８）は針式圧力計または電子式圧力計である、ことを特徴とする請求項１
に記載の両足交替踏み式空気入れ装置。
【考案の詳細な説明】
【技術分野】
【０００１】
本考案は空気入れ装置分野に関するものであり、特に両足交替踏み式空気入れ装置に関す
るものである。
【背景技術】
【０００２】
現在市販の空気入れ装置には様々な種類があり、良く見られるのは主に押付式空気ポンプ
装置であるが、このような装置は構造が簡単であるに対し、機械的強さが弱く、破損し易
く、空気入れ中、力も時間もかかる。良く使われる他の空気入れ装置としては電気空気入
れ装置もあるが、このような装置は空気入れ速度が速いことに対し、電気がないと使えな
くなる。これほかにも、公告番号ＣＮ２０６０７１８１５Ｕである中国実用新案にはペダ
ル式ダブルシリンダー空気入れポンプが開示されており、この装置は電気がなくても使用
できるものの、使用中、片足で踏むしかできないので、力がかかるし、効率も低い。その
ため、この装置に対する改進が必要であり、そこで本考案を提出した。
【考案の概要】
【考案が解決しようとする課題】
【０００３】
既存空気入れ装置に存在する片足で踏むしかできないことによる力も時間もかかる問題を
克服するために、本考案では両足交替踏み式空気入れ装置を提供することになる。
【課題を解決するための手段】
【０００４】
本考案は、支持台と、第一可動部品と、第二可動部品と、ペダルと、空気入れ導管と、両
シリンダーａと、両シリンダーｂと、気圧計を含み、
前記支持台上には第一可動部品と第二可動部品が設置され、前記第一可動部品と第二可動
部品のトップエンドにはペダルが一体化連結され、前記第一可動部品と第二可動部品のボ
トムエンドは、いずれも回転できる方式で支持台と連結され、前記第一可動部品と第二可
動部品との間は交差式で設置され、前記第一可動部品は第二可動部品の裏側に設置され、
両シリンダーａの本体は支持台の一端とヒンジ連結され、両シリンダーｂの本体は支持台
の他の一端とヒンジ連結され、且つ両シリンダーｂは両シリンダーａの両側に設置され、
前記第一可動部品は両連結アームａを含み、両連結アームａの間には主軸ａが連結され、
前記第二可動部品は両連結アームｂを含み、両連結アームｂの間には主軸ｂが連結され、
両連結アームａは両連結アームｂの間に設置され、前記主軸ａ、主軸ｂ上にはいずれも連
結部品が固定スリーブ連結され、前記連結部品にはエア通路や当該エア通路と連通される
排気口、および二つの当該エア通路と連通される吸気口が開設され、両シリンダーａのピ
ストンロッドはそれぞれ主軸ａ上の連結部品の両吸気口と固定連結され、両シリンダーｂ
のピストンロッドはそれぞれ主軸ｂ上の連結部品の両吸気口と固定連結され、両連結部品
の排気口にはそれぞれ導気管と連結されるとともに、導気管を介して空気入れ導管と連結
され、前記空気入れ導管上には気圧計が設置される、両足交替踏み式空気入れ装置である
。
本考案は、前記支持台は並列に設置される両支持アームを含み、同一端に対応する両支持
アームの間にはそれぞれ固定軸aと支持軸ａが連結され、前記支持軸aは固定軸aの外側に
位置され、他の一端に対応する両支持アームの間には固定軸bと支持軸bが連結され、前記
支持軸bは固定軸bの外側に位置され、前記第一可動部品と支持台は支持軸bを介して回転
できるように連結され、前記第二可動部品と支持台は支持軸aを介して回転できるように
連結され、前記支持軸ｂと支持軸ａ上にはいずれもねじりばねが設置され、前記第一可動
部品は支持軸b上に設置されたねじりばねを介して支持台と嵌め合い、前記第二可動部品
は支持軸a上に設置されたねじりばねを介して支持台と嵌め合い、両シリンダーaの本体は
支持台の固定軸a上に可動連結され、両シリンダーbの本体は支持台の固定軸b上に可動連
結されることを特徴とする。
【０００５】
本考案は、前記固定軸bの裏側にまた支持台の両支持アームの間を連結する補助支持軸が
設置され、前記支持軸b上には両ねじりばねが設置され、前記第一可動部品の両連結アー
ムaの裏側にはそれぞれドッグが設置され、両ねじりばねの一端はそれぞれ対応するドッ
グ上にドッギングされ、両ねじりばねの他の一端は一体に連結されて補助支持軸上に押し
付けられ、前記支持軸a上には両ねじりばねが設置され、前記第二可動部品の両連結アー
ムbの外側にはそれぞれドッグが設置され、前記支持台が前記第二可動部品と連結される
所の両支持アームの裏側にもそれぞれドッグが設置され、前記支持軸a上に設置される両
ねじりばねの一端はそれぞれ両連結アームbのドッグ上にドッギングされ、前記支持軸a上
に設置される両ねじりばねの他の一端はそれぞれ支持台の両連結アームのドッグ上にドッ
ギングされることを特徴とする。
【０００６】
また、本考案は、前記導気管の空気入れ導管と接近する位置上には空気入れチェックバル
ブが設置されることを特徴とする。
【０００７】
また、本考案は、前記空気入れ導管の排気口には空気入れノズルが設置されることを特徴
とする。
【０００８】
また、本考案は、前記支持台や第一可動部品および第二可動部品はいずれもアルミニウム
合金材料で製作されることを特徴とする。
【０００９】
また、本考案は、前記気圧計は針式圧力計または電子式圧力計であることを特徴とする。
【考案の効果】
【００１０】
本考案によって提供される両足交替踏み式空気入れ装置は、既存空気入れ装置の片足踏み
による力も時間もかかる問題を解決することができ、本考案によって提供される両足踏み
式空気入れ装置には、交差に設置される第一可動部品と第二可動部品が設置されていて、
両足で第一可動部品と第二可動部品上のペダルを踏むことによって、手軽且つ快速に空気
入れ操作を実現することができ、コンパクトで、デザインが合理的で、使用が便利である
などの長所があって、普及し易い。
【図面の簡単な説明】
【００１１】
本考案の実地例または既存技術中の技術手段についてさらにはっきりと説明するために、
次では実施例または既存技術中に使用されている図面について簡単に説明するが、明らか
なことに、次に説明される図面はただ本考案の一部の実施例に過ぎず、本分野の一般技術
者にとって、創造的な労働をしなくても、これらの図面によって他の図面を得ることがで
きる。
【００１２】
【図１】図１は本考案実施例の両足交替踏み式空気入れ装置の構造見取り図である。そのうち、１．支持台、２．第一可動部品、２−１．連結アームa、３．第二可動部品、３−１．連結アームb、４．ペダル、５．空気入れ導管、６．シリンダーa、７．シリンダーb、８．気圧計、９．固定軸a、１０．支持軸a、１１．固定軸b、１２．支持軸b、１３．補助支持軸、１４．主軸a、１５．主軸b、１６．連結部位、１７．導気管、１８．空気入れチェックバルブ、１９．空気入れノズル。
【考案を実施するための形態】
【００１３】
次では本考案の実施例または技術手段についてさらにはっきりと、完璧に説明することに
するが、明らかなことに、説明される実施例は本考案の一部の実施例に過ぎず、全部の実
施例ではない。本考案の実施例に基づき、本分野の一般技術者が創造的な労働をせずに、
得たすべての他の実施例は、いずれも本考案の保護範囲に収まる。
【００１４】
図１は本考案によって提供される両足交替踏み式空気入れ装置の構造見取り図である。図
１のとおり、本考案の両足交替踏み式空気入れ装置は、支持台１と、第一可動部品２と、
第二可動部品３と、ペダル４と、空気入れ導管５と、両シリンダーa６と、両シリンダーb
７と、気圧計８を含み、
前記支持台上１には第一可動部品２と第二可動部品３が設置され、前記第一可動部品２と
第二可動部品３のトップエンドにはペダル４が一体化連結され、前記第一可動部品２と第
二可動部品３のボトムエンドは、いずれも回転できる方式で支持台１と連結され、前記第
一可動部品２と第二可動部品３との間は交差式で設置され、前記第一可動部品２は第二可
動部品３の裏側に設置され、両シリンダーａ６の本体は支持台１の一端とヒンジ連結され
、両シリンダーｂ７の本体は支持台１の他の一端とヒンジ連結され、且つ両シリンダーｂ
７は両シリンダーａ６の両側に設置され、前記第一可動部品２は両連結アームａ２−１を
含み、両連結アームａ２−１の間には主軸ａ１４が連結され、前記第二可動部品３は両連
結アームｂ３−１を含み、両連結アームｂ３−１の間には主軸ｂ１５が連結され、両連結
アームａ２−１は両連結アームｂ３−１の間に設置され、前記主軸ａ１４、主軸ｂ１５上
にはいずれも連結部品１６が固定スリーブ連結され、前記連結部品１６にはエア通路や当
該エア通路と連通される排気口、および二つの当該エア通路と連通される吸気口が開設さ
れ、両シリンダーａ６のピストンロッドはそれぞれ主軸ａ１４上の連結部品の両吸気口と
固定連結され、両シリンダーｂ７のピストンロッドはそれぞれ主軸ｂ１５上の連結部品の
両吸気口と固定連結され、両連結部品１６の排気口にはそれぞれ導気管１７と連結される
とともに、導気管１７を介して空気入れ導管５と連結され、具体的な応用において、Ｔジ
ョイントで両導気管１７と空気れ導管５を連結することができ、前記空気入れ導管５上に
は気圧計８が設置される。
【００１５】
前記支持台１は並列に設置される両支持アームを含み、同一端に対応する両支持アームの
間にはそれぞれ固定軸a９と支持軸ａ１０が連結され、前記支持軸a１０は固定軸a９の外
側に位置され、他の一端に対応する両支持アームの間には固定軸b１１と支持軸b１２が連
結され、前記支持軸b１２は固定軸b１１の外側に位置され、前記第一可動部品２と支持台
１は支持軸b１２を介して回転できるように連結され、前記第二可動部品３と支持台１は
支持軸a１０を介して回転できるように連結され、前記支持軸ｂ１２と支持軸ａ１０上に
はいずれもねじりばねが設置され、前記第一可動部品２は支持軸b１２上に設置されたね
じりばねを介して支持台１と嵌め合い、前記第二可動部品３は支持軸a１０上に設置され
たねじりばねを介して支持台１と嵌め合って、第一可動部品２や第二可動部品３の支持台
1に対する回転角度が６０度以下に維持されるうようにし、両シリンダーa６の本体は支持
台１の固定軸a９上に可動連結され、両シリンダーb７の本体は支持台１の固定軸b１１上
に可動連結される。
【００１６】
前記固定軸b１１の裏側にまた支持台１の両支持アームの間を連結する補助支持軸１３が
設置され、前記支持軸b１２上には両ねじりばねが設置され、当該ねじりばねは両連結ア
ームａ２−１の間に設置され、前記第一可動部品２の両連結アームa２−１の裏側にはそ
れぞれドッグが設置され、両ねじりばねの一端はそれぞれ対応するドッグ上にドッギング
され、両ねじりばねの他の一端は一体に連結されて補助支持軸１３上に押し付けられ、前
記支持軸a１０上には両ねじりばねが設置され、前記第二可動部品３の両連結アームb３−
１の外側にはそれぞれドッグが設置され、前記支持台１が前記第二可動部品３と連結され
る所の両支持アームの裏側にもそれぞれドッグが設置され、前記支持軸a１０上に設置さ
れる両ねじりばねはそれぞれ両連結アームb３−１と支持台１の支持アームとの間に位置
する支持軸ａ１０上に位置し、支持軸ａ１０上に設置される両ねじりっばねの一端はそれ
ぞれ両連結アームｂ３−１のドッグ上にドッギングされ、前記支持軸a１０上に設置され
る両ねじりばねの他の一端はそれぞれ支持台１の両連結アームのドッグ上にドッギングさ
れる。
【００１７】
導気管１７の空気入れ導管５と接近する位置上には空気入れチェックバルブ１８が設置さ
れる。
【００１８】
前記空気入れ導管５の排気口には空気入れノズル１９が設置され、空気入れノズル１９は
多用途ノズルを使用することができ、使用時、異なる空気入れ対象物に対して異なるノズ
ルを用いて、各車種のタイヤや、ボールまたは浮力リングなどに空気入れ操作を行うこと
ができる。
前記支持台１や第一可動部品２および第二可動部品３はいずれもアルミニウム合金材料で
製作される。
【００１９】
前記気圧計８は針式圧力計または電子式圧力計である。
【００２０】
本考案は既存の片足踏み式空気入れ装置に比べて大きな違いがあり、先ずは構造的に大き
な変化があり、最も重要なのは足の力入れ方式と力強さ上に大きく改善されている。現在
の片足踏み式空気入れ装置は通常利用者が力の比較的強い右足で踏んで、ほとんど足の力
を利用せねばならないので、時間が立つと疲れてしまい、そして、右足がペダルを下に踏
む時のみ、空気が入り、足を上げる時は空気が入らないが、本考案の空気入れ装置は空気
を入れる時に、両足で交替に踏むため、左足が上がる時には右足によって空気を入れるこ
とができ、右足が上がる時には左足によって空気を入れることができるので、いつも空気
が入り、空気入れ効率を高めることができ、そして、空気を入れる時に、本考案の装置を
利用すれば、この装置は使用者の体全体の重力を受けることになり、使用者は足でペダル
を踏むことによって、より手軽になり、偏移コントロールを通じて、使用者がいずれのペ
タルを踏んでも空気入れができるようにする。
【００２１】
本考案の前記両足交替踏み式空気入れ装置を利用して空気入れをする時には、先ず装置を
穏やかに地面に置き、空気入れ導管５上の空気入れノズル１９を空気入れ対象物の空気入
れ口に連結し、その後、操作者の両足はそれぞれ第一可動部品２と第二可動部品３上のペ
ダル４を踏み、空気を入れる時に、操作者の両足は左右両ペダルを交替に踏むことになり
、そして、踏む時に体の重心をいつも踏む側に寄せるように調整することによって、使用
者の足部と太もも部位にかかる力を減らすことができ、片足で踏む時に太もも部位にかな
り大きな力を入れるのみ、底まで踏めることを避けることができ、よって、両足で踏むこ
とによって空気入れがより迅速になり、より省力化になる。
【００２２】
本考案によって提供される両足交替踏み式空気入れ装置は、既存茎入れ装置の片足で踏む
ことによる力も時間もかかる問題を解決することができ、本考案によって提供される両足
交替踏み式空気入れ装置には、交差式に設置された第一可動部品と第二可動部品が配置さ
れ、両足で第一可動部品と第二可動部品上のペダルを踏むことによって、手軽に、快速に
空気入れ操作を実現することができ、コンパクトで、デザインが合理的で、使用が便利で
あるなどの長所があって、普及し易い。
【００２３】
本考案の最良の形態について説明したが、本分野の技術者なら、一旦基本的な創造性コン
セプトを知り得ると、これらの実施例に対して他の変更と修正を行うことができる。その
ため、この文に添付される特許請求の範囲は、好ましい実施例および本考案の範囲に収ま
るすべての変更と修正も含まれると解釈したい。
【００２４】
明らかなことに、本分野の技術者なら本考案に対して、本考案の精神と範囲を離れずに、
様々な変動と変形を行うことができる。そこで、本考案に対するこれらの変動と変更が本
考案の特許請求の範囲およびそれと同等な技術範囲内に属していれば、これらの変動と変
形も本考案に含まれる。
【図１】
0003227628.tif 000003